(57)【特許請求の範囲】
【請求項１】
機器本体内に、モータと、磁性材料からなるコア及びこのコアに巻回されたコイルを有するアンテナ装置とを備えている電子機器において、
前記アンテナ装置は、前記コアの端部と磁気的に結合する結合部と、前記モータへの外部からの磁気を遮蔽するとともに外部からの電波の磁束を集める集磁部とを有する外部磁性体を備え、
前記外部磁性体は、前記コアの両端部に夫々備えられ、
前記モータの他に別なモータを前記外部磁性体の間に備え、
前記別なモータへの外部からの磁気を遮蔽する耐磁板をさらに備えていることを特徴とする電子機器。
【請求項２】
前記外部磁性体は、前記コアの端部から別体に形成されていることを特徴とする請求項１記載の電子機器。
【請求項３】
前記モータ及び前記アンテナ装置を前記機器本体内に固定するハウジングを備え、
このハウジングと前記外部磁性体とで前記モータを挟むように配置されていることを特徴とする請求項１又は２に記載の電子機器。
【請求項４】
前記外部磁性体は、前記コアの両端部に夫々備えられ、
前記ハウジングは、非磁性部を備え、この非磁性部により前記外部磁性体における前記コアの両端部が磁気的に分離されていることを特徴とする請求項３記載の電子機器。
【請求項５】
前記機器本体は、時計であり、
前記外部磁性体は、前記モータと前記時計の文字盤との間に配置されていることを特徴とする請求項３又は４に記載の電子機器。
【請求項６】
前記結合部において、前記コアと前記外部磁性体とは、磁性連結部材により連結されていることを特徴とする請求項１〜５の何れか一項に記載の電子機器。
【請求項７】
前記外部磁性体は、前記コアの両端部に夫々備えられ、
前記モータは、複数からなり、
前記複数のモータは、前記各外部磁性体により、当該各モータへの外部からの磁気が遮蔽されていることを特徴とする請求項１〜６の何れか一項に記載の電子機器。
【発明の詳細な説明】
【技術分野】
【０００１】
本発明は、電子機器に関する。
【背景技術】
【０００２】
電子機器の一種として、時刻情報を含む標準電波を受信して自動的に現在時刻を修正する電波時計が知られている。このような電波時計において、標準電波を受信するアンテナ装置として、磁性材料であるアモルファス金属やフェライト等で構成されたコアにコイルを巻回したアンテナ装置が広く用いられている。
【０００３】
一方、モータで指針を駆動する時計の場合、時計制御に不要な外部磁気によって指針駆動に影響が出て、時計精度が低下することがある。このため、外部磁気を遮断する耐磁板を時計ケース内に設けることによって時計精度の保持を図ることが行われている。このような耐磁対策は、指針駆動に関して一般の時計と同様の構造を有する電波時計においても時計精度の保持のために必要とされる。
【０００４】
ところで、電波時計は、時刻情報を含む標準電波を受信し、この電波から時刻情報を取り出すことにより正確な時刻を得て表示するものであることから、外部磁気を遮断するために耐磁板でモータ等のムーブメントを被覆すると、今度は、標準電波の受信が困難となり、その受信性能が低下するおそれがある。
【０００５】
そこで、従来、モータ等のムーブメントを耐磁板で被覆する一方、この耐磁板に開口を設け、この開口からアンテナ装置における磁性体のコイル巻回部を露出させることによって、受信性能の低下を防ぐようにした発明が提案されている（例えば、特許文献１参照。）。
【特許文献１】特開２００４−２９４２５８号公報
【発明の開示】
【発明が解決しようとする課題】
【０００６】
しかしながら、上記特許文献１に記載の発明によれば、耐磁板に開口を設け、その開口からアンテナ装置のコイル巻回部を露出させる構造であるため、時計ケースの広い範囲が耐磁板で被覆されてしまうこととなり、耐磁板でアンテナ装置のコイル巻回部までをも被覆する場合に比べれば、多少は受信感度が向上するものの、耐磁板の存在によって磁束のアンテナ装置への集束が制限されてしまい、さほどの受信感度の向上は望めなかった。
【０００７】
本発明は、上記課題に鑑みて為されたものであり、不要な外部磁気の遮断効果を有する一方で、電波の受信精度の向上が図れる電子機器を提供することを目的とする。
【課題を解決するための手段】
【００１０】
以上の課題を解決するため、請求項１に記載の発明は、
機器本体内に、モータと、磁性材料からなるコア及びこのコアに巻回されたコイルを有するアンテナ装置とを備えている電子機器において、
前記アンテナ装置は、前記コアの端部と磁気的に結合する結合部と、前記モータへの外部からの磁気を遮蔽するとともに外部からの電波の磁束を集める集磁部とを有する外部磁性体を備え、
前記外部磁性体は、前記コアの両端部に夫々備えられ、
前記モータの他に別なモータを前記外部磁性体の間に備え、
前記別なモータへの外部からの磁気を遮蔽する耐磁板をさらに備えていることを特徴とする。
【００１１】
請求項２に記載の発明は、請求項１記載の電子機器において、
前記外部磁性体は、前記コアの端部から別体に形成されていることを特徴とする。
【００１２】
請求項３に記載の発明は、請求項１又は２に記載の電子機器において、
前記モータ及び前記アンテナ装置を前記機器本体内に固定するハウジングを備え、
このハウジングと前記外部磁性体とで前記モータを挟むように配置されていることを特徴とする。
【００１３】
請求項４に記載の発明は、請求項３記載の電子機器において、
前記外部磁性体は、前記コアの両端部に夫々備えられ、
前記ハウジングは、非磁性部を備え、この非磁性部により前記外部磁性体における前記コアの両端部が磁気的に分離されていることを特徴とする。
【００１４】
請求項５に記載の発明は、請求項３又は４に記載の電子機器において、
前記機器本体は、時計であり、
前記外部磁性体は、前記モータと前記時計の文字盤との間に配置されていることを特徴とする。
【００１５】
請求項６に記載の発明は、請求項１〜５の何れか一項に記載の電子機器において、
前記結合部において、前記コアと前記外部磁性体とは、磁性連結部材により連結されていることを特徴とする。
【００１６】
請求項７に記載の発明は、請求項１〜６の何れか一項に記載の電子機器において、
前記外部磁性体は、前記コアの両端部に夫々備えられ、
前記モータは、複数からなり、
前記複数のモータは、前記各外部磁性体により、当該各モータへの外部からの磁気が遮蔽されていることを特徴とする。
【発明の効果】
【００２２】
請求項１に記載の発明によれば、電子機器に備えられているアンテナ装置のコアの端部に備えられた外部磁性体が、電子機器に備えられるモータへの外部磁気を遮蔽するとともに外部からの電波の磁束を集めるので、その外部磁性体が不要な外部磁気を遮蔽することで、外部磁気がモータに到達し難くなることから、モータに対する外部磁気の影響を低減して、機器精度を向上させることができる。
また、外部磁性体は、標準電波などの磁束を引き付けるように好適に集めて、コアを透過する磁束を良好に捕捉することで、その電波の受信感度や受信精度を高めることができる。
また、外部磁性体の間にモータが配置される構成であっても耐磁板が、モータの表面側を覆っているため、この耐磁板により外部からの磁気が遮蔽され、外部磁気がモータに到達し難くなるので、モータに対する外部磁気の影響を低減することができる。
【発明を実施するための最良の形態】
【００２４】
以下に、本発明について、図面を用いて具体的な態様を説明する。ただし、発明の範囲は、図示例に限定されない。
【００２５】
［実施形態１］
図１は、本発明の実施形態１における電子機器を電子時計の一種である電波腕時計（以下、腕時計）に適用した場合の平面図であり、図２は、図１における腕時計の分解斜視図、図３は、図１のIII−III矢視断面図、図４は、時計ケースに設置されたアンテナ装置の平面図、図５は、図４に示すアンテナ装置の側面図、図６は、図１に示す腕時計の機能構成を示すブロック図である。
【００２６】
図１、図３に示すように、腕時計１００は、機器本体２を備え、その機器本体２の上下両端部、すなわち１２時方向側端部及び６時方向側端部には時計バンドＢが取り付けられている。
また、機器本体２の外周部には、腕時計１００の各種機能の実行を指示するためのスイッチ３が設けられている。また、機器本体２の内部は中空になっている。
【００２７】
機器本体２は、図１から図３に示すように、筒状の筐体からなる時計ケース１０と、この時計ケース１０の上部開口を閉塞する上部閉塞部材としての時計ガラス１２と文字板２１と、時計ケース１０の下部開口を閉塞する下部閉塞部材としての裏蓋１４とを備えている。
具体的には、ステンレスやチタン等の金属製の時計ケース１０の上部開口を塞ぐように時計ガラス１２がパッキン１３を介して時計ケース１０の上部開口に嵌められている。一方、時計ケース１０の下部開口を塞ぐように裏蓋１４がＯリング１５を介して時計ケース１０の下部開口に取り付けられている。裏蓋１４は、ステンレスやチタン等の金属材料から略平板状に形成されている。
【００２８】
時計ケース１０の内部には、標準電波を受信するアンテナ装置３０、アナログ指針機構４０、モータＭ、これらと接続してアンテナ装置３０やアナログ指針機構４０を制御する受信制御回路部６００等が設けられている回路基板、これら電子部品を内臓しているハウジング２０、このハウジング２０が納められたハウジングケース１１等が収納されている。そして、このハウジング２０の上方に文字板２１が配置されている。
ハウジング２０は、アンテナ装置３０、アナログ指針機構４０、モータＭ等の電子部品を機器本体２内に固定するためのケース体であり、合成樹脂などの非磁性材料によって形成されている。なお、ハウジングケース１１も非磁性材料によって形成されている。
【００２９】
アナログ指針機構４０は、文字板２１の中央部に形成された軸孔からその上方に伸びる指針軸１と、この指針軸１に取り付けられた時針や分針等の指針２２とを有している。この指針２２は、このアナログ指針機構４０を駆動する主モータＭ１によって、文字板２１の上方で運針される。また、アナログ指針機構４０に接続されている回路基板は、ＣＰＵ等の制御ＩＣと、発振回路を有して現在時刻を計時する計時回路である計時回路部７００と、アンテナ装置３０による受信信号を増幅・検波して標準電波に含まれるタイムコードを取り出す受信回路である受信制御回路部６００とを回路要素としている。制御ＩＣは、受信回路で取り出されたタイムコードに基づいて計時回路による現在時刻を修正し、修正した現在時刻を示すようにアナログ指針機構４０を制御して指針２２を運針させる処理等を行う。
【００３０】
アンテナ装置３０は、図１から図５に示すように、磁性体であるコア３１と、このコア３１に巻回されたコイル３２と、コア３１の両端部に別体に形成されて取り付けられている外部磁性体３３と、を備えて構成されている。
【００３１】
コア３１は、コイル３２が巻回されているコイル巻回部３１ａと、コイル３２が巻回されない部分とを備えている。また、コア３１は、コイル巻回部３１ａの両端からそれぞれ突出するコイル非巻回部３１ｂを備えている。
このコア３１は、例えば、フェライトや、アモルファス、パーマロイなどの磁性材料からなる複数の薄膜状磁性体が積層されてなる積層コアとして形成されている。
【００３２】
一対の外部磁性体３３それぞれは、コア３１のコイル非巻回部３１ｂと磁気的に結合する結合部３３ｂと、モータへの外部からの磁気を遮蔽するとともに外部からの電波の磁束を集める集磁部３３ａとを有している。
この外部磁性体３３は、例えば、フェライトや、アモルファス、パーマロイなど比較的高い透磁率を有する磁性材料からなる薄板が略半円形状を呈するように形成されている。
そして、外部磁性体３３の結合部３３ｂと、コア３１のコイル非巻回部３１ｂとは、磁性材料からなる磁性連結部材としてのねじ３４により連結されており、この結果、外部磁性体３３とコア３１とがこのねじ３４を介して磁気的に結合している。この外部磁性体３３は、ハウジング２０の上部に備えられている。
なお、外部磁性体３３の下方であって、ハウジング２０内には、主モータＭ１とは異なる副モータＭ２が配置されている。
【００３３】
また、一対の外部磁性体３３の間であって、主モータＭ１の上方には、外部磁性体３３よりも比較的低い透磁率を有する磁性材料からなる薄板状の耐磁板３５がハウジング２０の上部に備えられている。
そして、ハウジング２０の非磁性部２０ａの存在により、コア３１の両端部に形成されているコイル非巻回部３１ｂは、磁気的に分離されており、一対の外部磁性体３３も接触しないように磁気的に分離されている。
なお、外部磁性体３３と耐磁板３５とは、ハウジング２０の上部に備えられている。このために、ハウジング２０によってその姿勢が安定するように支持されており、それぞれ良好に電波の磁束を集めたり、確実に外部磁気を遮蔽したりするようになっている。
また、一対の外部磁性体３３と耐磁板３５の間には隙間が設けられており、外部磁性体３３と耐磁板３５も磁気的に分離されている。
【００３４】
図６は、腕時計１００の内部構成を示すブロック図である。同図によれば、腕時計１００は、ＣＰＵ１０１と、入力部２００と、表示部３００と、ＲＯＭ４００と、ＲＡＭ５００と、受信制御回路部６００と、計時回路部７００と、発振回路部７２０とを備えて構成されている。
【００３５】
ＣＰＵ１０１は、所定のタイミング或いは入力部２００から入力された操作信号に応じてＲＯＭ４００に格納されたプログラムを読み出してＲＡＭ５００に展開し、そのプログラムに基づいて腕時計１００を構成する各部への指示やデータの転送等を行う。具体的には、例えば、所定時間毎に受信制御回路部６００を制御して標準電波の受信を行わせ、受信信号を基に計時回路部７００で計時される現在時刻データを修正する処理や、計時回路部７００によって計時された現在時刻を表示部３００に表示させる処理等を行う。
【００３６】
入力部２００は、腕時計１００の各種機能の実行を指示するためのスイッチ３を含み、このスイッチ３が操作されると、対応する操作信号をＣＰＵ１０１に出力する。
表示部３００は、文字板２１や、ＣＰＵ１０１によって制御されるアナログ指針機構４０等を含み、計時回路部７００によって計時された現在時刻を表示する。
【００３７】
ＲＯＭ４００は、腕時計１００にかかるシステムプログラムやアプリケーションプログラム、本実施形態を実現するためのプログラムやデータ等を記憶する。
ＲＡＭ５００は、ＣＰＵ１０１の作業領域として用いられ、ＲＯＭ４００から読み出されたプログラムやデータ、ＣＰＵ１０１で処理されたデータ等を一時的に記憶する。
【００３８】
受信制御回路部６００は、アンテナ装置３０での受信信号から不要な周波数成分をカットして所定の周波数信号を取り出し、この周波数信号を対応する電気信号に変換してＣＰＵ１０１に出力する。
計時回路部７００は、発振回路部７２０から入力される信号を計数して現在時刻を計時し、現在時刻データをＣＰＵ１０１に出力する。
発振回路部７２０は、常時一定周波数のクロック信号を出力する回路である。
【００３９】
次に、本実施形態のアンテナ装置３０の作用について説明する。
【００４０】
アンテナ装置３０では、外部磁性体３３は、コア３１の両端部に形成されているコイル非巻回部３１ｂに磁気的に結合されて、コア３１の両端側に広く延在するように備えられている。このために、この外部磁性体３３は、標準電波の磁束を集め、集めた標準電波の磁束が、コア３１中を通過することとなって、その磁束の通過によってコイル３２に誘導起電力が生じる。この誘導起電力を検出することにより標準電波を受信する。
一方、外部磁性体３３は、副モータＭ２の表面側を覆っているため、外部磁性体３３が耐磁板として機能し、この外部磁性体３３により外部からの磁気が遮蔽され、外部磁気が副モータＭ２に到達し難くなる。このために、副モータＭ２に対する外部磁気の影響を低減することが可能になる。
更に、耐磁板３５は、副モータＭ２とは別な主モータＭ１の表面側を覆っているため、この耐磁板３５により外部からの磁気が遮蔽され、外部磁気が主モータＭ１に到達し難くなる。このために、主モータＭ１に対する外部磁気の影響を低減することが可能になる。
【００４１】
以上のように、本実施形態によれば、コア３１の両端部に備えられている一対の外部磁性体３３は、標準電波の磁束を引き付けるように良好に集めて、コア３１を透過する磁束を良好に捕捉することができるので、標準電波の受信感度、受信精度を高めることができる。
また、外部磁性体３３は、外部からの磁気を遮蔽することで、外部磁気が副モータＭ２に到達し難くなることから、副モータＭ２に対する外部磁気の影響を低減して、時計精度を向上させることができる。
また、外部磁性体３３では覆えない範囲の主モータＭ１を覆う耐磁板３５が備えられているので、この主モータＭ１に対する外部磁気の影響も低減することができ、時計精度を向上させることができる。
従って、このアンテナ装置３０を備える腕時計１００は、不要な外部磁気の遮断効果を有するとともに、標準電波の受信精度の向上を図ることが可能であり、良好な時計精度を維持することができる。
【００４２】
［変形例１］
次に、本発明の実施形態１の変形例１について説明する。なお、実施形態１と同一部分には同一符号を付し、異なる部分についてのみ説明する。
【００４３】
図７に示すように、ハウジング２０には、主モータＭ１と、アンテナ装置５０と、耐磁板５５とが備えられている。
【００４４】
アンテナ装置５０は、図７、図８（ａ）（ｂ）に示すように、磁性体５１と、この磁性体５１に巻回されたコイル５２と、を備えて構成されている。
【００４５】
磁性体５１は、コイル５２が巻回されているコイル巻回部５１ａと、コイル５２が巻回されない部分であり、かつ、コイル巻回部５１ａの両端からそれぞれ突出するコイル非巻回部５１ｂと、を備えている。
また、磁性体５１は、コイル非巻回部５１ｂから一体形成されている。モータＭへの外部磁気を遮蔽するとともに外部からの電波の磁束を集める突出部分５３を備えている。この突出部分５３は、コイル非巻回部５１ｂの一部分をなしている。
この磁性体５１は、例えば、フェライトや、アモルファス、パーマロイなどの磁性材料から形成されている。
【００４６】
突出部分５３は、略舌形状を呈しており、その先端側はコイル巻回部５１ａより薄い板状に形成されている。
なお、一方の突出部分５３の下方であって、ハウジング２０内には、主モータＭ１とは異なる副モータＭ３が配置されている。
【００４７】
また、一対の突出部分５３の間には、比較的低い透磁率を有する磁性材料からなり略Ｔ字形状を呈する薄板状の耐磁板５５が備えられている。
この耐磁板５５の下方であって、ハウジング２０内には、主モータＭ１と、２つの副モータＭ３が配置されている。
なお、一対の突出部分５３と耐磁板５５の間には隙間が設けられており、突出部分５３（磁性体５１）と耐磁板５５は磁気的に分離されている。
【００４８】
そして、アンテナ装置５０は、磁性体５１の突出部分５３が標準電波の磁束を好適に集め、その突出部分５３が集めた標準電波の磁束が磁性体５１のコイル巻回部５１ａを通過することとなって、その磁束の通過によってコイル５２に誘導起電力が生じる。この誘導起電力を検出することにより標準電波を受信するようになっている。
特に、コイル非巻回部５１ｂでもある突出部分５３が、副モータＭ３の表面側を覆っているため、突出部分５３が耐磁板として機能し、この突出部分５３により外部からの磁気が遮蔽され、外部磁気が副モータＭ３に到達し難くなるので、副モータＭ３に対する外部磁気の影響を低減することが可能になっている。
更に、耐磁板５５が、主モータＭ１と副モータＭ３の表面側を覆っているため、この耐磁板５５により外部からの磁気が遮蔽され、外部磁気が主モータＭ１や副モータＭ３に到達し難くなるので、主モータＭ１や副モータＭ３に対する外部磁気の影響を低減することが可能になっている。
【００４９】
このような構成のアンテナ装置５０であっても、標準電波の受信感度、受信精度を高めることができる。
また、突出部分５３や耐磁板５５が、外部からの磁気を遮蔽することで、外部磁気が主モータＭ１や副モータＭ３に到達し難くなることから、主モータＭ１や副モータＭ３に対する外部磁気の影響を低減して、時計精度を向上させることができる。
【００５０】
なお、実施形態１の変形例１におけるアンテナ装置の形状は、上記実施形態に限られるものではない。
例えば、図９（ａ）（ｂ）に示すように、平面視略コ字状を呈する磁性体６１と、この磁性体６１の中央側に巻回されたコイル６２と、を備えて構成されているアンテナ装置６０であってもよい。
磁性体６１は、図９（ａ）に示すように、略コ字状の複数の磁性薄板６を積層して形成されている。複数の磁性薄板６は、積層される下層側にいくにつれて、両端部が徐々に短くなるように形成されており、磁性体６１の両端側の突出部分６３の厚みは先端側に向かって徐々に薄くなっている。
このような構成のアンテナ装置６０であっても、標準電波の受信感度、受信精度を高めることができる。
【００５１】
［実施形態２］
次に、本発明の実施形態２について説明する。なお、実施形態１と同一部分には同一符号を付し、異なる部分についてのみ説明する。
【００５２】
図１０、図１１に示すように、腕時計２００は、機器本体２を備え、その機器本体２の上下両端部には時計バンドＢが取り付けられている。
機器本体２は、図１１に示すように、筒状の筐体を呈する時計ケース１０と、この時計ケース１０の上部開口を閉塞する上部閉塞部材としての時計ガラス１２と文字板２１と、時計ケース１０の下部開口を閉塞する下部閉塞部材としての裏蓋１４と、を備えている。
【００５３】
時計ケース１０の内部には、標準電波を受信するアンテナ装置７０、アナログ指針機構４０、モータＭ、これらと接続してアンテナ装置７０やアナログ指針機構４０を制御する受信制御回路部６００等が設けられている回路基板、これら電子部品が設置されているハウジング２０、このハウジング２０が納められたハウジングケース１１が、収納されている。そして、このハウジング２０の上方に文字板２１が配置されている。
ハウジング２０は、アンテナ装置７０、アナログ指針機構４０、モータＭ等を機器本体２内に固定するケース体であり、非磁性材料によって形成されている。
【００５４】
アンテナ装置７０は、図１０から図１２に示すように、磁性体であるコア７１と、このコア７１に巻回されたコイル７２と、コア７１の両端部に別体に形成されている第一外部磁性体７３と第二外部磁性体７４と、を備えて構成されている。
【００５５】
コア７１は、コイル７２が巻回されているコイル巻回部７１ａと、コイル７２が巻回されない部分であり、かつ、コイル巻回部７１ａの両端からそれぞれ突出するコイル非巻回部７１ｂと、を備えている。
このコア７１は、例えば、フェライトや、アモルファス、パーマロイなどの磁性材料からなる複数の薄膜状磁性体が積層されてなる積層コアとして形成されている。
【００５６】
第一外部磁性体７３は、一方のコイル非巻回部７１ｂに備えられ、丸みを帯びた略凸形状を呈している。
また、第二外部磁性体７４は、他方のコイル非巻回部７１ｂに備えられ、丸みを帯びた略凹形状を呈している。
第一外部磁性体７３と第二外部磁性体７４は、それぞれコア７１のコイル非巻回部７１ｂと磁気的に結合する結合部７３ｂ、７４ｂと、モータへの外部からの磁気を遮蔽するとともに外部からの電波の磁束を集める集磁部７３ａ、７４ａとを有している。
この第一外部磁性体７３と第二外部磁性体７４は、例えば、フェライトや、アモルファス、パーマロイなど比較的高い透磁率を有する磁性材料からなり、薄板状に形成されている。
そして、第一外部磁性体７３の結合部７３ｂと、コア７１の一方のコイル非巻回部７１ｂとが、磁性材料からなる磁性連結部材としてのねじ７５により連結され、第一外部磁性体７３とコア７１とが磁気的に結合している。また、第二外部磁性体７４の結合部７４ｂと、コア７１の他方のコイル非巻回部７１ｂとが、磁性材料からなる磁性連結部材としてのねじ７５により連結され、第二外部磁性体７４とコア７１とが磁気的に結合している。
なお、第一外部磁性体７３の下方であって、ハウジング２０内には、主モータＭ１が配置されている。
【００５７】
そして、ハウジング２０の非磁性部２０ａにより、コア７１の両端部（コイル非巻回部７１ｂ）が磁気的に分離され、第一外部磁性体７３と第二外部磁性体７４も磁気的に分離されている。
【００５８】
このような構成のアンテナ装置７０であっても、標準電波の受信感度、受信精度を高めることができる。
また、第一外部磁性体７３が、外部からの磁気を遮蔽することで、外部磁気が主モータＭ１に到達し難くなることから、主モータＭ１に対する外部磁気の影響を低減して、時計精度を向上させることができる。
従って、このアンテナ装置７０を備える腕時計２００は、不要な外部磁気の遮断効果を有するとともに、標準電波の受信精度の向上を図ることが可能であり、良好な時計精度を維持することができる。
【００５９】
［変形例１］
次に、本発明の実施形態２の変形例１について説明する。なお、実施形態１、実施形態２と同一部分には同一符号を付し、異なる部分についてのみ説明する。
【００６０】
図１３に示すように、ハウジング２０には、第一外部磁性体７３の下方に、主モータＭ１と２つの副モータＭ２が配置されている。また、第二外部磁性体７４の下方に、副モータＭ２が配置されている。
【００６１】
このように、アンテナ装置７０の第一外部磁性体７３と第二外部磁性体７４が、外部からの磁気を遮蔽することで、複数のモータＭ（１つの主モータＭ１と３つの副モータＭ２）に外部磁気が到達し難くなるようにすることで、各モータＭに対する外部磁気の影響を低減して、時計精度を向上させることができる。
【００６２】
［変形例２］
次に、本発明の実施形態２の変形例２について説明する。なお、実施形態１、実施形態２と同一部分には同一符号を付し、異なる部分についてのみ説明する。
【００６３】
図１４に示すように、ハウジング２０には、主モータＭ１と、３つの副モータＭ３と、アンテナ装置８０とが備えられている。
【００６４】
アンテナ装置８０は、図１４に示すように、磁性体８１と、この磁性体８１に巻回されたコイル８２と、を備えて構成されている。
【００６５】
磁性体８１は、コイル８２が巻回されているコイル巻回部８１ａと、コイル８２が巻回されない部分であり、かつ、コイル巻回部８１ａの両端からそれぞれ突出するコイル非巻回部８１ｂと、を備えている。
また、磁性体８１は、コイル非巻回部８１ｂから一体形成されてなる、モータＭへの外部磁気を遮蔽するとともに外部からの電波の磁束を集める突出部分８３、８４を備えている。
この磁性体８１は、例えば、フェライトや、アモルファス、パーマロイなどの磁性材料から形成されている。
【００６６】
一方のコイル非巻回部８１ｂ側に設けられている突出部分８３と、他方のコイル非巻回部８１ｂ側に設けられている突出部分８４とは、非対称に形成されており、一方の突出部分８３の方が、他方の突出部分８４より大きく形成されている。
そして、一方の突出部分８３の方が広い範囲を覆うことが可能になっており、この突出部分８３の下方であって、ハウジング２０内には、主モータＭ１と、３つの副モータＭ３が配置されている。
【００６７】
このような構成のアンテナ装置８０であっても、標準電波の受信感度、受信精度を高めることができる。
また、突出部分８３が、外部からの磁気を遮蔽することで、外部磁気が主モータＭ１や副モータＭ３に到達し難くなることから、主モータＭ１や副モータＭ３に対する外部磁気の影響を低減して、時計精度を向上させることができる。
【００６８】
なお、以上の実施の形態においては、ハウジングを非磁性材料により形成するとしたが、本発明はこれに限定されるものではなく、非磁性材料のハウジングに磁性材料部分をインサート形成やフープ形成したり、磁性材料と非磁性材料とからなるハウジングを形成したりして、その磁性材料部分を外部磁性体として利用するようにしてもよい。
【００６９】
また、以上の実施の形態においては、電子機器として電子時計である電波腕時計を例示して説明したが、電波受信機能を有する電子機器であれば本発明を適用することは可能である。例えば、電子機器としては携帯電話やラジオ、携帯ゲーム機、デジタルオーディオプレーヤーなどが挙げられる。
【００７０】
また、その他、具体的な細部構造等についても適宜に変更可能であることは勿論である。
【図面の簡単な説明】
【００７１】
【図１】本発明に係る電子機器が適用された腕時計の実施形態１を示す正面図である。
【図２】図１の腕時計の分解斜視図である。
【図３】図１のIII−III線における矢視断面図である。
【図４】図１の腕時計内のアンテナ装置を示す平面図である。
【図５】図４のアンテナ装置を示す側面図である。
【図６】図１の腕時計の機能構成を示すブロック図である。
【図７】本発明の実施形態１の変形例１におけるアンテナ装置を示す平面図である。
【図８】（ａ）は図７のアンテナ装置を示す側面図、（ｂ）はそれの斜視図である。
【図９】（ａ）は図１のアンテナ装置の変形例を示すコアの説明図、（ｂ）はこの変形例に係るアンテナ装置の斜視図である。
【図１０】本発明の実施形態２に係る腕時計を示す正面図である。
【図１１】図１０のXI−XI線における矢視断面図である。
【図１２】図１０の腕時計内のアンテナ装置を示す平面図である。
【図１３】図１０のアンテナ装置の変形例１を示す平面図である。
【図１４】図１０のアンテナ装置の変形例２を示す平面図である。
【符号の説明】
【００７２】
２      機器本体
１０    時計ケース（筐体）
１１    ハウジングケース
１２    時計ガラス（上部閉塞部材）
１４    裏蓋（下部閉塞部材）
２０    ハウジング
２０ａ  非磁性部
２１    文字板（上部閉塞部材）
３０    アンテナ装置
３１    コア
３１ａ  コイル巻回部
３１ｂ  コイル非巻回部
３２    コイル
３３    外部磁性体
３３ａ  集磁部
３３ｂ  結合部
３４    ねじ（磁性連結部材）
３５    耐磁板
４０    アナログ指針機構
５０    アンテナ装置
５１    磁性体
５１ａ  コイル巻回部
５１ｂ  コイル非巻回部
５２    コイル
５３    突出部分
５５    耐磁板
６０    アンテナ装置
６１    磁性体
６２    コイル
６３    突出部分
７０    アンテナ装置
７１    コア
７１ａ  コイル巻回部
７１ｂ  コイル非巻回部
７２    コイル
７３    第一外部磁性体
７３ａ  集磁部
７３ｂ  結合部
７４    第二外部磁性体
７４ａ  集磁部
７４ｂ  結合部
７５    ねじ（磁性連結部材）
８０    アンテナ装置
８１    磁性体
８１ａ  コイル巻回部
８１ｂ  コイル非巻回部
８２    コイル
８３    突出部分
８４    突出部分
１００、２００  腕時計（電子機器、電子時計）
Ｍ１    主モータ（別なモータ）
Ｍ２    副モータ（モータ）
Ｍ３    副モータ
【図１】
0004952398.tif 000002
【図２】
0004952398.tif 000003
【図３】
0004952398.tif 000004
【図４】
0004952398.tif 000005
【図５】
0004952398.tif 000006
【図６】
0004952398.tif 000007
【図７】
0004952398.tif 000008
【図８】
0004952398.tif 000009
【図９】
0004952398.tif 000010
【図１０】
0004952398.tif 000011
【図１１】
0004952398.tif 000012
【図１２】
0004952398.tif 000013
【図１３】
0004952398.tif 000014
【図１４】
0004952398.tif 000015